(57)【特許請求の範囲】
【請求項１】
複数の機器に対して消費電力を低減する制御を行う機器制御装置であって、
複数の機器の総消費電力を検出する検出部と、
制御の対象機器と制御方法と制御の優先順位とを対応づけた第１の優先順位情報を記憶する記憶部と、
外部端末から制御の対象機器と制御方法と制御の優先順位とを対応づけた第２の優先順位情報を受信する通信部と、
第１の優先順位情報と第２の優先順位情報とから、制御の対象機器と制御方法と制御の優先順位とを対応づけた新たな優先順位情報を生成し、総消費電力が、所定の消費電力を上回る場合に、生成した優先順位情報の優先順位が高い機器から順に生成した優先順位情報に示される制御方法で制御する制御部と、を備えることを特徴とする機器制御装置。
【請求項２】
前記通信部は、外部端末の要求に従って、外部端末に対して第１の優先順位情報を送信することを特徴とする請求項１に記載の機器制御装置。
【発明の詳細な説明】
【技術分野】
【０００１】
本発明は、世帯内の機器制御により総消費電力のピークの低減を行う技術に関する。
【背景技術】
【０００２】
本技術分野の背景技術として、特開２００２−３６９３８３号公報（特許文献１）がある。この公報には、家庭内の機器の動作状態を考慮した上で，総消費電力のピークカットを行う制御技術について記載されている。また、特開２００３−３１９５７２号公報（特許文献２）がある。この公報には、電力使用率と各家電機器の優先順位との関係に応じて機器を制御し，電力消費のピーク値を低減する技術について記載されている。
【先行技術文献】
【特許文献】
【０００３】
【特許文献１】特開２００２−３６９３８３号公報
【特許文献２】特開２００３−３１９５７２号公報
【発明の概要】
【発明が解決しようとする課題】
【０００４】
家庭内など宅内の機器の動作状態を制御して総消費電力のピーク値を下げようとした場合，機器の能力を抑えることで消費電力を下げることになるが，人によって許容できる事柄が異なる。例えば，真夏にエアコンの設定温度を１度上げることを容易に許容できる人もいれば，設定温度を１度上げるよりは照明の照度を一段階下げることのほうが許容できる人もいる。つまり，許容しやすい機器の制御と許容しがたい機器の制御を順に並べていくと，人によって並び順（機器制御の優先順位）が異なることになる。この優先順位が異なる人が複数人同じ場にいた場合，誰かの優先順位にあわせた機器制御を行うと，不公平が生じる。
【課題を解決するための手段】
【０００５】
上記課題を解決するために、例えば特許請求の範囲に記載の構成を採用する。
【発明の効果】
【０００６】
機器制御優先順位が異なる人が複数人同じ場にいても，それぞれの優先順位を考慮した機器制御を行える。
【図面の簡単な説明】
【０００７】
【図１】宅内およびネットワークの構成図の例である。
【図２】機器制御装置の構成図の例である。
【図３】携帯端末の構成図の例である。
【図４】外部サーバの構成図の例である。
【図５】電力制御フローチャートの例である。
【図６】携帯端末への消費電力低減ルール群取得の例である。
【図７】消費電力低減ルール群の混成方法のフローチャートの例である。
【図８】消費電力低減ルール群の表の例である。
【図９】制御機器一覧の表の例である。
【図１０】宅内の構成図の例である。
【図１１】携帯端末の構成図の例である。
【図１２】消費電力低減ルール群の混成方法のフローチャートの例である。
【図１３】電力制御フローチャートの例である。
【発明を実施するための形態】
【０００８】
以下、実施例を図面を用いて説明する。
【実施例１】
【０００９】
図１は，本実施例の宅内の構成を示す例である。宅内には，機器制御装置１０１，テレビ１１１，照明１１２，エアコン１１３，携帯端末１２１，１２２がある。また宅外にはネットワーク３０と外部サーバ２０がある。図１では，機器の例としてテレビ，照明，エアコンを挙げて図示しているが，機器を限定するものではなく他の機器があってもよいし，逆にテレビ，照明，エアコンはなくても良い。また同じ機器が複数あってもよい。
【００１０】
機器制御装置１０１はテレビ１１１，照明１１２，エアコン１１３と有線ＬＡＮなどのデータ通信線，または，無線ＬＡＮやＺｉｇＢｅｅ（登録商標）などのデータ通信用無線を通じて制御データの送受信を行う。携帯端末１２１，１２２は無線通信により家庭内制御部とデータの送受信を行う。
【００１１】
図２に機器制御装置１０１の構成を示す。機器制御装置１０１は，優先順位決定手段１０１４を持つ制御部１０１１，通信部１０１２，記憶部１０１３，アンテナ１０１６，入力部１０１７，表示部１０１８，電力計測部１０１９で構成される。通信部１０１２はアンテナ１０１６を通じて無線，または，有線（図示せず）で他の機器と通信を行う。電力計測部１０１９には宅内の主幹電力線（図示せず）が接続されており，宅内の総消費電力をリアルタイムに計測する。
【００１２】
図３に携帯端末１２１，１２２の構成を示す。携帯端末１０２は入力部１２２１，表示部１２２２，制御部１２２３，通信部１２２４，記憶部１２２５，アンテナ１２２６からなる。通信部１２２４はアンテナ１２２６を通じて他の機器と無線通信を行う。
【００１３】
図４に外部サーバ２０の構成を示す。外部サーバ２０は制御部２００１，通信部２００２，記憶部２００３から構成される。通信部２００２はネットワーク３０に接続される。
［電力制御動作］
機器制御装置１０１の記憶部１０１３には，あらかじめ宅内の最大総消費電力の目標値である目標消費電力を保存しておく。目標消費電力の保存は，使用者が入力部１０１７から数値の入力を行い，表示部１０１８を用いて確認を行う。
【００１４】
宅内の総消費電力が目標電力以下となるよう制御する方法について，図５に示すフローチャートを用いて説明する。まず，機器制御装置１０１の制御部１０１１は電力計測部１０１９によって，宅内の総消費電力を計測し，記憶部１０１３に保存する（Ｓ１０１）。
【００１５】
次に，制御部１０１１は，記憶部１０１３に保存されている，目標電力と計測した総消費電力の比較を行い，総消費電力が目標電力より低い場合は処理を終了する（Ｓ１０３＜Ｎｏ＞）。総消費電力が目標電力より高い場合は，ルールの優先順位が高く，かつ，まだ実施していないルールを実行する（Ｓ１０３＜Ｙｅｓ＞，Ｓ１０４）。その後，再び電力計測を行う。
【００１６】
なお，最大総消費電力の目標値は，外部サーバ２０の記憶部２００３に保存されている値を通信部２００２，ネットワーク３０を通じて取得しても良い。外部サーバの記憶部に保存されている目標値は例えば電力会社が，１日ごとの天気や気温の予報から予想される家庭で使用される電力量をもとにした値などである。
［節電ルール構成］
図８に消費電力低減ルール群の例を示す。ルールを実施する優先順位１０００１とそれぞれのルールが制御対象とする対象機器１０００２，消費電力低減を行うための設定ルール１０００３，ルールを実施した際に期待される消費電力低減量である消費電力低減効果１０００４が設定される。
【００１７】
ルール群内のルールの設定や優先順位の設定は，あらかじめユーザが機器制御装置の入力部１０１７から入力をおこない，表示部１０１８に設定を表示して確認することで設定する。例えば設定ルールは選択肢として用意しておき，ユーザがその中から選択していくようにする。消費電力低減効果は設定ルールと対にあらかじめ記憶部に記憶されており，設定ルールが決定されれば自動的に決定する。
【００１８】
図９にルール対象機器の一覧の例を示す。ルールの対象機器１０００２に記載されている全ての機器をデータとしてもち，ルールとともに記憶部へ保存される。
［ルール持ち出し方法］
宅内の機器制御装置に保存されているルールを携帯端末へコピーし，持ち出すときの動作について図６のフロー図を用いて説明する。まず，ユーザは携帯端末１２１の入力部１２２１を操作し，から携帯端末のルール取得動作を開始させる（Ｓ２０１）。その後，携帯端末の制御部１２２３は通信部１２２４，アンテナ１２２６を通じて，機器制御装置１０１へ認証要求を行う（Ｓ２０２）。機器制御装置は，アンテナ１０１６，通信部１０１２を通じて認証要求を受信し，認証を行う（Ｓ２０３）。認証の方法は，例えば，あらかじめ機器制御装置にパスワードを設定しておき，携帯端末からそのパスワードを機器制御装置へ送信し，機器制御装置がそのパスワードを照合することで行う。認証が行われると，携帯端末１２１の制御部は通信部，アンテナを通じて，ルール取得要求を行う（Ｓ２０４）。ルール取得要求を受信した機器制御装置は記憶部１０１３に保存されているルールのデータを携帯端末へ送信し，携帯端末は受信したルールのデータを記憶部１２２５へ保存する。
［複数ルール混成方法］
図７のフロー図を用いて別宅へ携帯端末によりルール群を持ち込み，複数ルール群から一つのルール群を混成する方法を説明する。
【００１９】
まず，機器制御装置１０１は，携帯端末１２１や１２２から記憶部１２２５に保存されているルール群（以降取得ルール群と記載）や機器一覧データ（以降取得機器一覧データと記載）をアンテナ１０１６，通信部１０１２を通じて受信し，記憶部１０１３に保存する（Ｓ３０１）。このとき，ルール群や機器一覧データを複数の携帯端末から，複数取得してもよい。
【００２０】
次から，優先順位決定手段１０１４の動作を説明する。機器制御装置１０１の制御部１０１１は，記憶部１０１３に保存されている機器一覧データ（以降自機器一覧データと記載）と，取得機器一覧データの比較を行う（Ｓ３０２）。複数のルール群や機器一覧データを取得している場合は，それぞれに対して比較を行う。比較を行った結果，自機器一覧データになく，取得した機器一覧データにある機器がある場合は，取得ルール群から該当機器のルールを削除する（Ｓ３０３＜Ｙｅｓ＞，Ｓ３０４）。ない場合は，そのまま次の動作へと移る（Ｓ３０３＜Ｎｏ＞）。次に，取得したルールの優先順位をもとに，各ルールのスコアづけを行う（Ｓ３０５）。例えば，取得ルールを優先順位の順に並び替え，優先順位の高い順に採番を行っていく。そして，ルールの数から採番した番号の数値を差し引いた値をスコアとする。この場合，優先順位が高い順にスコアが高く，優先順位が１つ低いルールのスコアが１低い値となる。Ｓ３０５と同様の方法で，機器制御装置１０１がもとから持っていたルール群（以降自ルール群と記載）に対してもスコアづけを行う（Ｓ３０６）。
【００２１】
次に，自機器一覧データと，携帯端末から取得した機器一覧データの比較を行う（Ｓ３０７）。自機器一覧データにあり，取得機器一覧データにない機器があった場合は，自ルール群内の該当機器のスコアを（全ルール群数 / 該当機器が記載されているルール群の数）倍する（Ｓ３０８＜Ｙｅｓ＞，Ｓ３０９）。このＳ３０９の動作を行うのは，以降の優先順位づけ動作で，各機器の重みを均等にして順位付けを行うためである。
【００２２】
次に，自ルール群と取得ルール群の各ルールにおいて，同じルールごとにスコアの足し合わせを行う（Ｓ３１０）。ここで，自ルール群にしかないルールのスコアは特に足し合わせることなく，そのままとする。そして，足しあわされた後のスコア，または，自ルール群にしかないルールはそのままのスコアが大きい順にルールの優先順位をつける（Ｓ３１１）。この動作を行う際に，同スコアとなるルールがある場合は，消費電力低減効果の比較を行い，消費電力低減効果が大きい方を高い優先順位とする（Ｓ３１２＜Ｙｅｓ＞，Ｓ３１３）。同スコアのルールがなければ，特に特別な処理は行わない（Ｓ３１２＜Ｎｏ＞）。以上の動作により新たに順位付けされた新たなルール群が混合ルール群となる。
【００２３】
なお，Ｓ３１３の順位付けは，もとの自ルール群内で優先順位が高いものを優位に順付けしてもよいし，ランダムで順位付けを行ってもよい。
【００２４】
以上のように複数のルール群から，それらの個々の優先順位をもとに混成のルール群を作成し，目標電力達成のために用いることにより，宅内にもとから住んでいる人と招かれた人の節電のための機器制御嗜好の折り合いをつけることができ，どちらかに対して不公平な機器制御となることがない。
【実施例２】
【００２５】
携帯端末で直接機器を制御する実施例について説明する。
【００２６】
図１０は本実施例の宅内を示す図である。テレビ１１１，照明１１２，エアコン１１３にそれぞれ消費電力計測部１４１，１４２，１４３が付属する。また，携帯端末１３１，１３２があり，無線通信により各機器と通信を行う。
【００２７】
図１１に携帯端末１３１，１３２の構成を示す。第１の実施例の携帯端末１２１，１２２に加え，制御部１３２３に優先順位決定手段１３２４を備える。
【００２８】
図１２のフローを用いて本実施例の動作を説明する。
【００２９】
本実施例では，例として携帯端末１３１を機器制御を行う制御用携帯端末とし，携帯端末１３２をルール群提供用の携帯端末として説明する。
【００３０】
図１２のフローは携帯端末１３１を主体として示している。まず，ユーザ１は携帯端末１３１の入力部を操作し，他端末からルール群を取得する状態とする。その後ユーザ２は携帯端末１３２の入力部を操作し，通信部から記憶部に保存されているルール群を送信し，携帯端末１３１はそのルール群（取得ルール群）と機器一覧データ（取得機器一覧）を取得する（Ｓ４０１）。次に，携帯端末１３１は通信部より機器問い合わせの信号を送信し，テレビ１１１などがその信号に対し，機器の種類を示す信号を送信し返すことで応答し，周辺にどのような機器があるかという情報（周辺機器一覧）を取得する（Ｓ４０２）。携帯端末１３１の記憶部に保存されている機器一覧データ（自機器一覧）と取得機器一覧の中で，周辺機器一覧にない機器の自ルール群や取得ルール群のルールを削除する（Ｓ４０４＜Ｙｅｓ＞，Ｓ４０５）。その後のＳ４０６〜Ｓ４１４の動作は，第１の実施例の機器制御装置の動作Ｓ３０５〜Ｓ３１３と同様である。
【００３１】
周辺機器の総消費電力を目標電力になるよう制御する方法について，図１３に示すフローチャートを用いて説明する。まず，携帯端末１３１の制御部１２２１は通信部１２２４を通じて，周辺機器へ消費電力の問い合わせ信号を送信する。問い合わせ信号を受信した機器１１１，１１２，１１３は，電力計測部１４１，１４２，１４３により計測された消費電力値を携帯端末１３１へ送信する（Ｓ５０１）。携帯端末１３１は受信した個々の消費電力の総和を求め，全体の消費電力を算出し，これを総消費電力とする（Ｓ５０２）。以降のＳ５０３〜Ｓ５０５の動作は，第１の実施例のＳ１０２〜１０４と同様である。
【００３２】
以上のように携帯端末を用いて，携帯端末の周辺の機器を制御することにより，機器全体を集中管理する機器制御装置の必要がなくなる。また，宅内全体を制御するのではなく，特定の範囲のみの機器を制御することができる。
【符号の説明】
【００３３】
２０  外部サーバ
３０  ネットワーク
１０１  機器制御装置
１２１，１２２  携帯端末
１１１  テレビ
１１２  照明
１１３  エアコン
【図１】
0005647969.tif 000002
【図２】
0005647969.tif 000003
【図３】
0005647969.tif 000004
【図４】
0005647969.tif 000005
【図５】
0005647969.tif 000006
【図６】
0005647969.tif 000007
【図７】
0005647969.tif 000008
【図８】
0005647969.tif 000009
【図９】
0005647969.tif 000010
【図１０】
0005647969.tif 000011
【図１１】
0005647969.tif 000012
【図１２】
0005647969.tif 000013
【図１３】
0005647969.tif 000014